(57)【要約】【課題】   記録シートを保護し、かつ、持つ運びが容易な携帯用表示体を提供する。【解決手段】  本考案では、記録シート２を二つの透明ブロック３で挟み込み、その二つの透明ブロック３の両端を更に二つの剛性ブロック４ａと４ｂで挟み込むことにより全体を固定し記録シート２を保護している。記録シート２とそれを挟み込んだ二つの透明ブロック３との間や二つの透明ブロック３とそれを挟み込んだ二つの剛性ブロック４ａと４ｂとの間にできる微小な隙間を、接着剤６で接着密閉シールすると液体や気体の浸入も防げるので、一層記録シート２の保護が強固なものとなる。更にストラップ５を取り付けることにより、持つ運びが容易な携帯用表示体１となる。【選択図】  図１
0003159491.tif 000002
【実用新案登録請求の範囲】
【請求項１】
記録シートと、該記録シートの両面を挟み込み固定保護する二つの透明ブロックと、該二つの透明ブロックの両端をはめ込むことで前記記録シートおよび前記二つの透明ブロックを着脱可能に固定支持する二つの剛性ブロックとから成り、ストラップを取り付けて携帯できる携帯用表示体。
【請求項２】
前記記録シートと、該記録シートの両面を挟み込み固定し隙間を接着密閉シールすることで該記録シートを保護するようにした前記二つの透明ブロックと、該二つの透明ブロックの両端を接着密閉シールすることで前記記録シートおよび前記二つの透明ブロックを固定支持する二つの剛性ブロックとから成り、ストラップを取り付けて携帯できる携帯用表示体。
【請求項３】
前記記録シートは、一方の面もしくは両面に、文字、図、絵、記号、表、その他を表示された紙、金属箔、発泡スチロール、合成樹脂等から成る請求項１または請求項２に記載の携帯用表示体。
【請求項４】
前記透明ブロックは、合成樹脂、ガラス等の透明材料から成り、かつ、断面の一部をほぼ円柱状のものを長軸方向に２分割して断面が半円もしくはかまぼこ状の凸形となるようにした請求項１または請求項２に記載の携帯用表示体。
【請求項５】
前記剛性ブロックは、金属、合成樹脂、木材、石材等の材料等から成る請求項１または請求項２に記載の携帯用表示体。
【考案の詳細な説明】
【技術分野】
【０００１】
本考案は、記録シートを透明材料で挟み込み保護するようにした携帯用表示体に関するものである。
【背景技術】
【０００２】
従来の記録シートの保護方法としては、剥離可能な薄い合成樹脂製の保護シートを記
録シートの表面に貼る方法がある（例えば、特許文献１参照）。
【先行技術文献】
【特許文献】
【０００３】
【特許文献１】特開２００１−３４１７４号公報（第２頁、図２）
【考案の概要】
【考案が解決しようとする課題】
【０００４】
記録シートを保護するための保護シートが薄いと使用中の耐久性に乏しいため剥がれや破れが生じ易く、その結果として記録シートにも傷みや剥がれが生じ、更には破れによる一部記録内容の消失が発生し易かった。そのため携帯することには不向きであった。そこで、記録シートを保護する方法を剛性のある透明のブロックとすることで耐久性を持たせることが可能となり前述の欠点を解決しようとするものである。
【課題を解決するための手段】
【０００５】
本考案では、記録シートの両面を二つの透明ブロックで挟み込み、その二つの透明ブロックの両端を更に二つの剛性ブロックで挟み込むことにより全体を固定し記録シートを保護している。記録シートとそれを挟み込んだ二つの透明ブロックとの間や二つの透明ブロックとそれを挟み込んだ二つの剛性ブロックとの間にできる微小な隙間を、接着剤により接着密閉シールすることで液体や気体の浸入も防げるので、一層記録シートの保護を強固なものとすることができる。更にストラップを取り付けることで携帯を容易にして問題点を解決している。
【考案の効果】
【０００６】
携帯用表示体は、文字、図、絵、記号、表、その他を記述、印刷した記録シートの両面を透明ブロックで挟み込み、かつ、ストラップを装着することで、持ち運んでも記録シートが痛んだりすることがなくなり、また紛失、落下する可能性を低くすることができる。透明ブロック及び剛性ブロックで保護された記録シートは、汚れ劣化等から保護される。なお、透明ブロックの断面の一部を凸形（ほぼ円柱状のものを長軸方向に２分割し、断面が半円もしくはかまぼこ状にしたもの）にするとレンズ効果が加わり記録シートに記述、印刷された文字等を鮮明かつ拡大することができる。更に、記録シートとそれを挟み込んだ二つの透明ブロックとの間や二つの透明ブロックとそれを挟み込んだ二つの剛性ブロックとの間にできる微小な隙間を、接着剤により接着密閉シールすると雨水等の液体や気体の浸入からも記録シートを保護できる。
【図面の簡単な説明】
【０００７】
【図１】本考案の携帯用表示体の一実施例を示す正面図である。
【図２】透明ブロックの正面図である。
【考案を実施するための形態】
【０００８】
携帯用表示体１は、記録シート２、透明ブロック３、剛性ブロック４ａと４ｂ、ストラップ５の部品から構成されている。製作手順としては、透明ブロック３は合成樹脂、ガラス等の透明材料を使用し、切削加工もしくは金型射出成型加工等で図２のように二つ作る。剛性ブロック４ａと４ｂは、金属、合成樹脂、木材、石材等の材料を切削加工もしくは金型射出成型加工等で図１のようにストラップ５を付けるための穴を持ったもの４ａと、ないもの４ｂを１つずつ計２つ作る。ストラップ５は、携帯する為に必要であり、ひも、チェーン、キーホルダー等を用いることができる。記録シート２は、紙、金属箔、発泡スチロール、合成樹脂等を使用し、文字、図、絵、記号、表、その他を記述及び印刷等したものであり、必要に応じて両面に記述又は印刷等する。
記録シート２、透明ブロック３、剛性ブロック４ａと４ｂ、ストラップ５の部品を組み立てる手順は、記録シート２の両面を二つのかまぼこ状の透明ブロック３の平坦面部で挟み込み、更に透明ブロック３の両端を剛性ブロック４ａと４ｂで差し込み固定する。そして剛性ブロック４ａにストラップ５を取り付けて組み立て完了となる。
なお、記録シート２の耐久性を高めるために、記録シート２とそれを挟み込んだ二つの透明ブロック３との間や二つの透明ブロック３とそれを挟み込んだ二つの剛性ブロック４ａと４ｂとの間にできる微小な隙間を、接着剤６で接着密閉シールしても良い。
【符号の説明】
【０００９】
１  携帯用表示体
２  記録シート
３  透明ブロック
４ａ  穴つき剛性ブロック
４ｂ  穴なし剛性ブロック
５  ストラップ
６  接着剤
【図１】
0003159491.tif 000003
【図２】
0003159491.tif 000004
【手続補正書】
【提出日】平成21年11月13日(2009.11.13)
【手続補正１】
【補正対象書類名】実用新案登録請求の範囲
【補正対象項目名】請求項３
【補正方法】変更
【補正の内容】
【請求項３】
前記記録シートは、一方の面もしくは両面に、文字、図、絵、記号、表、その他を表示された紙、金属箔、発泡スチロール、合成樹脂から成る請求項１または請求項２に記載の携帯用表示体。
【手続補正２】
【補正対象書類名】実用新案登録請求の範囲
【補正対象項目名】請求項５
【補正方法】変更
【補正の内容】
【請求項５】
前記剛性ブロックは、金属、合成樹脂、木材、石材から成る請求項１または請求項２に記載の携帯用表示体。
【手続補正書】
【提出日】平成22年1月13日(2010.1.13)
【手続補正１】
【補正対象書類名】実用新案登録請求の範囲
【補正対象項目名】請求項２
【補正方法】変更
【補正の内容】
【請求項２】
記録シートと、該記録シートの両面を挟み込み固定し隙間を接着密閉シールすることで該記録シートを保護するようにした二つの透明ブロックと、該二つの透明ブロックの両端を接着密閉シールすることで前記記録シートおよび前記二つの透明ブロックを固定支持する二つの剛性ブロックとから成り、ストラップを取り付けて携帯できる携帯用表示体。